(57)【要約】【課題】好みの構図の自分撮り画像を簡単に撮影できる撮像装置を提供する。【解決手段】自分撮りモードに設定されると、撮像素子１２２から得られた画像から被写体の顔が検出され、検出された顔が、撮影者によって任意の位置、任意の大きさで設定されたフレームに収まるか否かが判定手される。顔がフレームに収まると判定されると、セルフタイマランプ１８が点灯され、収まらないと判定されると、セルフタイマランプ１８が点滅する。これにより、好みの構図の自分撮り画像を簡単に撮影できる。【選択図】      図４
2007324877.tif 000002
【特許請求の範囲】
【請求項１】
撮影指示に応じて撮像素子から得られた画像を記憶メディアに記録する撮像装置において、
前記撮像素子の撮像エリア内の任意の位置に被写体の顔を収めるためのフレームを任意の大きさで設定するフレーム設定手段と、
前記撮像素子から得られた画像から被写体の顔を検出する顔検出手段と、
前記顔検出手段で検出された顔が前記フレーム設定手段で設定されたフレームに収まるか否かを判定する判定手段と、
前記判定手段の判定結果を告知する告知手段と、
を備えたことを特徴とする撮像装置。
【請求項２】
撮影指示手段から出力される撮影指示に応じて撮像素子から得られた画像を記憶メディアに記録する撮像装置において、
前記撮像素子の撮像エリア内の任意の位置に被写体の顔を収めるためのフレームを任意の大きさで設定するフレーム設定手段と、
前記撮像素子から得られた画像から被写体の顔を検出する顔検出手段と、
前記顔検出手段で検出された顔が前記フレーム設定手段で設定されたフレームに収まるか否かを判定する判定手段と、
前記顔検出手段で検出された顔が前記フレーム設定手段で設定されたフレームに収まると前記判定手段で判定された時にのみ前記撮影指示手段からの撮影指示を有効にする撮影指示制御手段と、
を備えたことを特徴とする撮像装置。
【請求項３】
撮影指示に応じて撮像素子から得られた画像を記憶メディアに記録する撮像装置において、
前記撮像素子の撮像エリア内の任意の位置に被写体の顔を収めるためのフレームを任意の大きさで設定するフレーム設定手段と、
前記撮像素子から得られた画像から被写体の顔を検出する顔検出手段と、
前記顔検出手段で検出された顔が前記フレーム設定手段で設定されたフレームに一定時間収まったか否かを判定する判定手段と、
前記顔検出手段で検出された顔が前記フレーム設定手段で設定されたフレームに一定時間収まったと前記判定手段で判定されると、前記撮影指示を出力する撮影指示出力手段と、
を備えたことを特徴とする撮像装置。
【請求項４】
補助光発光手段から補助光を発光させて撮影レンズのＡＦ制御を行い、撮影指示に応じて撮像素子から得られた画像を記憶メディアに記録する撮像装置において、
前記撮像素子の撮像エリア内の任意の位置に被写体の顔を収めるためのフレームを任意の大きさで設定するフレーム設定手段と、
前記撮像素子から得られた画像から被写体の顔を検出する顔検出手段と、
前記顔検出手段で検出された顔が前記フレーム設定手段で設定されたフレームに収まるか否かを判定する判定手段と、
前記顔検出手段で検出された顔が前記フレーム設定手段で設定されたフレームに収まると前記判定手段で判定されると、前記補助光発光手段から発光される補助光の光量を所定量低下させる補助光発光制御手段と、
を備えたことを特徴とする撮像装置。
【請求項５】
撮影指示に応じて撮像素子から得られた画像を記憶メディアに記録する撮像装置において、
前記撮像素子の撮像エリア内の任意の位置に被写体の顔を収めるためのフレームを任意の大きさで設定するフレーム設定手段と、
前記撮像素子から得られた画像から被写体の顔を検出する顔検出手段と、
前記顔検出手段で検出された顔が前記フレーム設定手段で設定されたフレームに収まるか否かを判定する判定手段と、
前記顔検出手段で検出された顔が前記フレーム設定手段で設定されたフレームに収まると前記判定手段で判定されると、シャッタ速度が規定値以上になるように露出を修正する露出修正手段と、
を備えたことを特徴とする撮像装置。
【発明の詳細な説明】
【技術分野】
【０００１】
本発明は撮像装置に係り、特に撮像素子から得られた画像を記憶メディアに記録する撮像装置に関する。
【背景技術】
【０００２】
一般にデジタルカメラにはモニタが備えられており、このモニタに撮像素子から得られた画像をスルー表示させながら撮影できる機能が備えられている。
【０００３】
しかしながら、通常、モニタはデジタルカメラの背面に備えられているため、自分自身を撮影（いわゆる、自分撮り）しようとしたときには、この機能を有効に活用できないという欠点があった。
【０００４】
そこで、特許文献１には、撮像素子から得られた画像から人物の顔を検出し、検出された顔があらかじめ設定されたフレームに収まるようにガイドするデジタルカメラが提案されている。
【特許文献１】特開２００５−２１７７６８号公報
【発明の開示】
【発明が解決しようとする課題】
【０００５】
しかしながら、特許文献１のデジタルカメラは、あらかじめ設定されたフレームに顔を収めるようにガイドする構成のため、構図の自由度が少なく、撮影者が意図する画像を撮影できないという欠点がある。
【０００６】
また、自分撮りでは、手を持ち上げた状態で撮影することになるため、カメラをしっかりと構えることができず、ブレが生じやすいという問題もある。
【０００７】
また、撮影時にＡＦ補助光を発光するカメラで自分撮りすると、近距離から高輝度のＡＦ補助光が発光されることとになるため、眩しさのために自然な表情で撮影できなくなるという問題もある。
【０００８】
本発明は、このような事情に鑑みてなされたもので、好みの構図の自分撮り画像を簡単に撮影できる撮像装置を提供することを目的とする。
【課題を解決するための手段】
【０００９】
請求項１に係る発明は、前記目的を達成するために、撮影指示に応じて撮像素子から得られた画像を記憶メディアに記録する撮像装置において、前記撮像素子の撮像エリア内の任意の位置に被写体の顔を収めるためのフレームを任意の大きさで設定するフレーム設定手段と、前記撮像素子から得られた画像から被写体の顔を検出する顔検出手段と、前記顔検出手段で検出された顔が前記フレーム設定手段で設定されたフレームに収まるか否かを判定する判定手段と、前記判定手段の判定結果を告知する告知手段と、を備えたことを特徴とする撮像装置を提供する。
【００１０】
請求項１に係る発明によれば、撮像素子から得られた画像から顔検出手段によって被写体の顔が検出される。そして、顔検出手段によって検出された顔が、フレーム設定手段で任意に設定されたフレームに収まるか否かが判定手段によって判定され、その判定結果が告知手段で告知される。これにより、撮影者の意図を反映した構図の画像を簡単かつ的確に撮影することができる。
【００１１】
請求項２に係る発明は、前記目的を達成するために、撮影指示手段から出力される撮影指示に応じて撮像素子から得られた画像を記憶メディアに記録する撮像装置において、前記撮像素子の撮像エリア内の任意の位置に被写体の顔を収めるためのフレームを任意の大きさで設定するフレーム設定手段と、前記撮像素子から得られた画像から被写体の顔を検出する顔検出手段と、前記顔検出手段で検出された顔が前記フレーム設定手段で設定されたフレームに収まるか否かを判定する判定手段と、前記顔検出手段で検出された顔が前記フレーム設定手段で設定されたフレームに収まると前記判定手段で判定された時にのみ前記撮影指示手段からの撮影指示を有効にする撮影指示制御手段と、を備えたことを特徴とする撮像装置を提供する。
【００１２】
請求項２に係る発明によれば、撮像素子から得られた画像から顔検出手段によって被写体の顔が検出される。そして、顔検出手段によって検出された顔が、フレーム設定手段で設定されたフレームに収まるか否かが判定手段によって判定され、収まると判定されたときのみ撮影指示手段からの撮影指示が有効になる。すなわち、撮影が可能になる。これにより、撮影者の意図を反映した構図の画像を簡単かつ的確に撮影することができる。
【００１３】
請求項３に係る発明は、前記目的を達成するために、撮影指示に応じて撮像素子から得られた画像を記憶メディアに記録する撮像装置において、前記撮像素子の撮像エリア内の任意の位置に被写体の顔を収めるためのフレームを任意の大きさで設定するフレーム設定手段と、前記撮像素子から得られた画像から被写体の顔を検出する顔検出手段と、前記顔検出手段で検出された顔が前記フレーム設定手段で設定されたフレームに一定時間収まったか否かを判定する判定手段と、前記顔検出手段で検出された顔が前記フレーム設定手段で設定されたフレームに一定時間収まったと前記判定手段で判定されると、前記撮影指示を出力する撮影指示出力手段と、を備えたことを特徴とする撮像装置を提供する。
【００１４】
請求項３に係る発明によれば、撮像素子から得られた画像から顔検出手段によって被写体の顔が検出される。そして、顔検出手段によって検出された顔が、フレーム設定手段で設定されたフレームに一定時間収まったか否かが判定手段によって判定され、収まったと判定されると、撮影が行われる。これにより、撮影者の意図を反映した構図の画像を簡単かつ的確に撮影することができる。
【００１５】
請求項４に係る発明は、前記目的を達成するために、補助光発光手段から補助光を発光させて撮影レンズのＡＦ制御を行い、撮影指示に応じて撮像素子から得られた画像を記憶メディアに記録する撮像装置において、前記撮像素子の撮像エリア内の任意の位置に被写体の顔を収めるためのフレームを任意の大きさで設定するフレーム設定手段と、前記撮像素子から得られた画像から被写体の顔を検出する顔検出手段と、前記顔検出手段で検出された顔が前記フレーム設定手段で設定されたフレームに収まるか否かを判定する判定手段と、前記顔検出手段で検出された顔が前記フレーム設定手段で設定されたフレームに収まると前記判定手段で判定されると、前記補助光発光手段から発光される補助光の光量を所定量低下させる補助光発光制御手段と、を備えたことを特徴とする撮像装置を提供する。
【００１６】
請求項４に係る発明によれば、撮像素子から得られた画像から顔検出手段によって被写体の顔が検出される。そして、顔検出手段によって検出された顔が、フレーム設定手段で設定されたフレームに収まるか否かが判定手段によって判定され、収まると判定されると、ＡＦ制御時に発光される補助光の発光量が抑えられる。これにより、眩しさによる不快感を与えずに自分撮りを行うことができる。
【００１７】
請求項５に係る発明は、前記目的を達成するために、撮影指示に応じて撮像素子から得られた画像を記憶メディアに記録する撮像装置において、前記撮像素子の撮像エリア内の任意の位置に被写体の顔を収めるためのフレームを任意の大きさで設定するフレーム設定手段と、前記撮像素子から得られた画像から被写体の顔を検出する顔検出手段と、前記顔検出手段で検出された顔が前記フレーム設定手段で設定されたフレームに収まるか否かを判定する判定手段と、前記顔検出手段で検出された顔が前記フレーム設定手段で設定されたフレームに収まると前記判定手段で判定されると、シャッタ速度が規定値以上になるように露出を修正する露出修正手段と、を備えたことを特徴とする撮像装置を提供する。
【００１８】
請求項５に係る発明によれば、撮像素子から得られた画像から顔検出手段によって被写体の顔が検出される。そして、顔検出手段によって検出された顔が、フレーム設定手段で設定されたフレームに収まるか否かが判定手段によって判定され、収まると判定されると、シャッタ速度が規定値以上になるように、露出が修正される。これにより、ブレによる撮影の失敗を防止することができる。
【発明の効果】
【００１９】
本発明に係る撮像装置によれば、好みの構図の自分撮り画像を簡単に撮影することができる。
【発明を実施するための最良の形態】
【００２０】
以下、添付図面を参照して本発明に係る撮像装置を実施するための最良の形態について説明する。
【００２１】
図１、図２は、それぞれ本発明が適用されたデジタルカメラの正面斜視図と背面斜視図である。
【００２２】
同図に示すように、このデジタルカメラ１０は、いわゆるコンパクトタイプのデジタルカメラであって、そのカメラボディ１２は、薄く四角い箱状に形成されている。
【００２３】
カメラボディ１２の正面には、図１に示すように、撮影レンズ１４、ストロボ１６、セルフタイマランプ１８、ＡＦ補助光ランプ２０、スピーカ２１等が設けられており、上面には、レリーズボタン２２、モードレバー２４、電源ボタン２６等が設けられている。
【００２４】
一方、カメラボディ１２の背面には、図２に示すように、モニタ２８、ズームボタン３０、再生ボタン３２、ファンクションボタン３４、十字ボタン３６、ＭＥＮＵ／ＯＫボタン３８、ＤＩＳＰ／ＢＡＣＫボタン４０等が設けられている。
【００２５】
また、図示されていないが、カメラボディ１２の底面には、バッテリカバーが開閉自在に設けられており、そのバッテリカバーの内側には、バッテリを収納するためのバッテリ収納室と、メモリカードを装着するためのメモリカードスロットとが設けられている。
【００２６】
撮影レンズ１４は、沈胴式のズームレンズで構成されており、デジタルカメラ１０の電源をＯＮすると、カメラボディ１２から繰り出される。なお、撮影レンズ１４のズーム機構や沈胴機構については、公知の技術なので、ここではその具体的な説明は省略する。
【００２７】
ストロボ１６は、たとえばキセノン管で構成されており、撮影時に必要に応じて発光される。
【００２８】
セルフタイマランプ１８は、たとえばＬＥＤで構成されており、セルフタイマ撮影時に所定の態様で発光、点滅して撮影タイミングを被写体に告知する。また、後述する自分撮りモード時に所定の態様で発光、点滅して撮影者に撮影タイミングを告知する。
【００２９】
ＡＦ補助光ランプ２０は、たとえば高輝度ＬＥＤ構成されており、低輝度撮影時に必要に応じて被写体に向けてＡＦ補助光を発光する。
【００３０】
レリーズボタン２２は、いわゆる「半押し」と「全押し」とからなる二段ストローク式のスイッチで構成されている。デジタルカメラ１０は、このレリーズボタン２２を半押しすると撮影準備、すなわち、ＡＥ（Automatic Exposure：自動露出）、ＡＦ（Auto Focus：自動合焦）、ＡＷＢ（Automatic White Balance：自動ホワイトバランス）を行い、全押すると、画像の記録を行う。
【００３１】
モードレバー２４は、撮影モードの設定に用いられる。このモードレバー２４は、レリーズボタン２２の周りを所定の角度の範囲で揺動自在に設けられており、「ＳＰ位置」、「ＡＵＴＯ位置」、「Ｍ位置」、「動画位置」にセット可能に設けられている。デジタルカメラ１０は、このモードレバー２４を「ＳＰ位置」にセットすることにより、「シーンプログラム撮影モード」に設定され、撮影シーンに応じた露出制御、撮影制御を行うモードに設定される。また、「ＡＵＴＯ位置」にセットすることにより、「オート撮影モード」に設定され、露出制御を全自動で行うモードに設定される。また、「Ｍ位置」に設定されることにより、「マニュアル撮影モード」に設定され、露出設定を手動で行うモードに設定される。また、「動画位置」に設定することにより、「動画撮影モード」に設定され、動画を撮影するモードに設定される。
【００３２】
なお、本実施の形態のデジタルカメラ１０では、「シーンプログラム撮影モード」として、人物撮影を行う「人物モード」、風景撮影を行う「風景モード」、スポーツ撮影を行う「スポーツモード」、夜景撮影を行う「夜景モード」、自分撮りを行う「自分撮りモード」が用意されているものとし、使用するモードの設定は、メニュー画面で行うものとする。すなわち、メニュー画面に表示されるメニュー項目の一つとして「シーンプログラム撮影モード」の設定項目が用意されており、この「シーンプログラム撮影モード」の設定項目でモードレバー２４を「ＳＰ位置」にセットした時のモードを選択できるようにされている。
【００３３】
電源ボタン２６は、デジタルカメラ１０の電源をＯＮ／ＯＦＦするのに用いられ、所定時間（たとえば、２秒）押下されることにより、デジタルカメラ１０の電源がＯＮ／ＯＦＦされる。
【００３４】
モニタ２８は、カラーＬＣＤで構成されている。このモニタ２８は、撮影済み画像を表示するための画像表示部として利用されるとともに、各種設定時にＧＵＩとして利用される。また、撮影時には、撮像素子で捉えた画像がスルー表示されて、電子ファインダとして利用される。
【００３５】
ズームボタン３０は、撮影レンズ１４のズーム操作に用いられ、望遠側へのズームを指示するズームテレボタンと、広角側へのズームを指示するズームワイドボタンとで構成されている。
【００３６】
再生ボタン３２は、再生モードへの切り替え指示に用いられる。すなわち、デジタルカメラ１０は、撮影中、この再生ボタン３２が押されると、再生モードに切り替えられる。また、電源ＯＦＦの状態でこの再生ボタン３２が所定時間（たとえば２秒）押されると、再生モードの状態でデジタルカメラ１０が起動する。
【００３７】
ファンクションボタン３４は、撮影及び再生機能の各種設定画面の呼び出しに用いられる。すなわち、撮影時に、このファンクションボタン３４が押されると、モニタ２８に画像サイズ（記録画素数）、感度等の設定画面が表示され、再生時に、このファンクションボタン４が押されると、モニタ２８にプリント予約（ＤＰＯＦ）の設定画面が表示される。
【００３８】
十字ボタン３６は、上下左右４方向に押圧操作可能に設けられており、各方向のボタンには、カメラの設定状態に応じた機能が割り当てられる。すなわち、たとえば、撮影時には、左ボタンにマクロモードのＯＮ／ＯＦＦを切り替える機能が割り当てられ、右ボタンにストロボモードを切り替える機能が割り当てられる。また、上ボタンにモニタ２８の明るさを替える機能が割り当てられ、下ボタンにセルフタイマのＯＮ／ＯＦＦを切り替える機能が割り当てられる。また、再生時には、左ボタンにコマ送りの機能が割り当てられ、右ボタンにコマ戻しの機能が割り当てられる。また、上ボタンにモニタ２８の明るさを替える機能が割り当てられ、下ボタンに再生中の画像を削除する機能が割り当てられる。また、各種設定時には、モニタ２８に表示されたカーソルを各ボタンの方向に移動させる機能が割り当てられる。
【００３９】
ＭＥＮＵ／ＯＫボタン３８は、メニュー画面の呼び出し（ＭＥＮＵ機能）に用いられるとともに、選択内容の確定、処理の実行指示等（ＯＫ機能）に用いられ、デジタルカメラ１０の設定状態に応じて割り当てられる機能が切り替えられる。
【００４０】
ＤＩＳＰ／ＢＡＣＫボタン４０は、モニタ２８の表示内容の切り替え指示（ＤＩＳＰ機能）に用いられるとともに、入力操作のキャンセル等の指示（ＢＡＣＫ機能）に用いられ、デジタルカメラ１０の設定状態に応じて割り当てられる機能が切り替えられる。
【００４１】
図３は、デジタルカメラ１０の電気的構成を示すブロック図である。
【００４２】
同図に示すように、デジタルカメラ１０は、ＣＰＵ１１０、操作部（レリーズボタン２２、モードレバー２４、電源ボタン２６、ズームボタン３０、再生ボタン３２、ファンクションボタン３４、十字ボタン３６、ＭＥＮＵ／ＯＫボタン３８、ＤＩＳＰ／ＢＡＣＫボタン４０等）１１２、フラッシュＲＯＭ１１６、ＲＡＭ１１４、撮影光学系１１８、撮影光学系駆動部１２０、撮像素子１２２、アナログ信号処理部１２４、Ａ／Ｄコンバータ１２６、画像信号処理部１２８、圧縮伸張処理部１３０、顔検出部１３２、音声処理部１３４、メディア制御部１３６、メモリカード１３８、エンコーダ１４０、ＡＦ検出部１４２、ＡＥ／ＡＷＢ検出部１４４、ストロボ制御部１４８、セルフタイマランプ制御部１５０、ＡＦ補助光ランプ制御部１５２等で構成されている。
【００４３】
ＣＰＵ１１０は、デジタルカメラ１０の全体の動作を統括制御する制御手段として機能するとともに、各種の演算処理を行う演算処理手段として機能し、操作部１１２からの入力に基づき所定の制御プログラムに従って各回路を制御する。
【００４４】
フラッシュＲＯＭ１１６には、ＣＰＵ１１０が実行する制御プログラムや制御に必要な各種データ等が格納されている。
【００４５】
ＲＡＭ１１４は、ＣＰＵ１１０の演算作業用領域として利用されるとともに、画像データの一時記憶領域として利用される。
【００４６】
撮影光学系１１８は、撮影レンズ１４と絞り１５を含み、被写体の光学像を撮像素子１２２の受光面に結像させる。この撮影光学系１１８を構成する撮影レンズ１４は、ピント調節を行うためのフォーカスレンズ１４Ｆと、ズーム調整を行うためのズームレンズ１４Ｚとを備えている。また、絞り１５は、たとえば虹彩絞りで構成されている。
【００４７】
撮影光学系駆動部１２０は、フォーカスレンズ１４Ｆを駆動するフォーカスモータ１２０Ｆと、ズームレンズ１４Ｚを駆動するズームモータ１２０Ｚと、絞り１５を駆動するアイリスモータ１２０Ｉとを備えている。ＣＰＵ１１０は、図示しないフォーカスモータドライバを介してフォーカスモータ１２０Ｆの駆動を制御することにより、フォーカスレンズ１４Ｆの移動を制御し、撮影レンズ１４のピント合せを行う。また、図示しないズームモータドライバを介してズームモータ１２０Ｚの駆動を制御することにより、ズームレンズ１４Ｚの移動を制御し、撮影レンズ１４のズーム調整を行う。また、図示しないアイリスモータドライバを介してアイリスモータ１２０Ｉの駆動を制御することにより、絞り１５の開口量を制御し、撮像素子１２２への入射光量を制御する。
【００４８】
撮像素子１２２は、たとえば、所定のカラーフィルタ配列のカラーＣＣＤで構成されており、その受光面には多数のフォトダイオード（受光素子）が規則的に配列されている。撮影光学系１１８を介して撮像素子１２２の受光面に入射した光は、各フォトダイオードによって入射光量に応じた量の信号電荷に変換されて蓄積される。そして、各フォトダイオードに蓄積された信号電荷は、図示しないタイミングジェネレータから出力されるタイミング信号に従って各フォトダイオードから順次読み出され、電荷量に応じた大きさの電圧信号（画像信号）として撮像素子１２２から出力される。
【００４９】
アナログ信号処理部１２４は、撮像素子１２２から順次出力される画像信号を相関二重サンプリング処理（撮像素子の出力信号に含まれるノイズ（特に熱雑音）等を軽減することを目的として、撮像素子の１画素毎の出力信号に含まれるフィードスルー成分レベルと画素信号成分レベルとの差をとることにより正確な画素データを得る処理）するとともに、増幅して出力する。
【００５０】
Ａ／Ｄコンバータ１２６は、アナログ信号処理部１２４から出力されたＲ、Ｇ、Ｂのアナログの画像信号をデジタルの画像信号に変換する。
【００５１】
画像信号処理部１２８は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、Ａ／Ｄコンバータ１２６から出力された画像信号に所要の信号処理を施して輝度データ（Ｙデータ）と色差データ（Ｃｒ，Ｃｂデータ）とからなる画像データ（ＹＵＶデータ）を生成する。
【００５２】
圧縮伸張処理部１３０は、ＣＰＵ１１０からの指令に従い、入力された画像データに所定の圧縮処理を施して所定フォーマット（たとえば、ＪＰＥＧ）の圧縮画像データを生成する。また、入力された圧縮画像データに所定の伸張処理を施して非圧縮の画像データを生成する。
【００５３】
顔検出部１３２は、ＣＰＵ１１０からの指令に従い、入力された画像データを解析して、人物の顔画像を検出する。すなわち、画像データから顔領域（人物の顔を囲う矩形領域）を抽出し、その位置（重心座標）及び大きさ（範囲）を検出する。この処理は、たとえば、入力された画像データから肌色に指定した色と近い色を持つ画素を取り出し、その取り出した領域を顔領域として抽出することにより行われる。肌色の抽出処理は、たとえば、肌色を他の色と区別するための色空間上で、あらかじめサンプリングした肌色の情報から色空間上の肌色の範囲を定め、各画素の色が定めた範囲に入っているか否かを判定することにより行われる。なお、顔検出の処理は、この他公知の技術を用いることができる。
【００５４】
音声処理部１３４は、ＣＰＵ１１０からの指令に従い、入力された音声データを処理してスピーカ２１から出力するための音声信号を生成する。音声処理部１３４で生成された音声信号はスピーカ２１に出力され、これにより、スピーカ２１から所定の音声が出力される。
【００５５】
メディア制御部１３６は、ＣＰＵ１１０からの指令に従い、メモリカードスロットに装填されたメモリカード１３８に対してデータを読み書きする。なお、本実施の形態のデジタルカメラ１０では、カメラボディ１０から着脱可能なメモリカードＭに画像を格納することとしているが、内臓式のメモリに画像を格納する構成としてもよい。
【００５６】
エンコーダ１４０は、ＣＰＵ１１０からの指令に従い、モニタ２８に出力するための映像信号を生成する。エンコーダ１４０で生成された映像信号はモニタ２８に出力され、これにより、モニタ２８に画像や文字等の所定の情報が表示される。
【００５７】
ＡＦ検出部１４２は、ＣＰＵ１１０からの指令に従い、ＡＦ制御に必要な物理量を算出する。本実施の形態のデジタルカメラ１０では、画像のコントラストによりＡＦ制御を行うものとし、ＡＦ検出部１４２は、入力された画像信号から画像の鮮鋭度を示す焦点評価値を算出する。ＣＰＵ１１０は、このＡＦ検出部１４２で算出される焦点評価値が極大となるように、フォーカスレンズ１４Ｆの移動を制御する。
【００５８】
ＡＥ／ＡＷＢ検出部１４４は、ＣＰＵ１１０からの指令に従ってＡＥ／ＡＷＢ制御に必要な物理量を算出する。たとえば、ＡＥ／ＡＷＢ制御に必要な物理量として、１画面部の画像信号を複数のエリア（例えば、１６×１６）に分割し、分割したエリアごとにＲ、Ｇ、Ｂの画像信号の積算値を算出する。ＣＰＵ１１０は、このＡＥ／ＡＷＢ検出部１４４から得た積算値に基づいて被写体の明るさ（被写体輝度）を検出し、所定のプログラム線図から露出（絞り値、シャッタ速度、感度）を決定する。また、ＣＰＵ１１０は、ＡＥ／ＡＷＢ検出部１４４から得たＲの積算値、Ｂの積算値、Ｇの積算値から分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を決定する。
【００５９】
ストロボ制御部１４６は、ＣＰＵ１１０からの指令に従い、ストロボ１６の発光を制御する。
【００６０】
セルフタイマランプ制御部１４８は、ＣＰＵ１１０からの指令に従い、セルフタイマランプ１８の発光を制御する。
【００６１】
ＡＦ補助光発光制御部１５０は、ＣＰＵ１１０からの指令に従い、ＡＦ補助光ランプ２０の発光を制御する。
【００６２】
本実施の形態のデジタルカメラ１０は以上のように構成される。
【００６３】
次に、本実施の形態のデジタルカメラ１０による基本的な撮影、再生の処理について説明する。
【００６４】
まず、撮影時におけるデジタルカメラ１０の基本的な処理動作について説明する。
【００６５】
電源ボタン２６を押し、デジタルカメラ１０の電源をＯＮすると、撮影レンズ１４が繰り出され、撮像素子１２２で捉えた画像がモニタ２８にスルー表示される。すなわち、デジタルカメラ１０の電源をＯＮすると、撮影レンズ１４が所定の撮影スタンバイ位置まで繰り出されるとともに、撮像素子１２２で連続的に画像が撮像され、得られた画像信号が各部で処理されて、モニタ２８に逐次出力される。撮影者は、このモニタ２８にスルー表示された画像（スルー画像）を見ながら必要に応じてズームボタン３０を操作して、構図を決定する。そして、レリーズボタン２２を半押しして、撮影準備を指示する。
【００６６】
レリーズボタン２２が半押しされると、ＣＰＵ１１０にＳ１ＯＮ信号が入力される。ＣＰＵ１１０は、このＳ１ＯＮ信号に応動して、ＡＥ、ＡＷＢ、ＡＦの各処理を実行する。すなわち、ＡＥ／ＡＷＢ制御を行って、本撮影時の絞り値とシャッタ速度を決定するとともに、ホワイトバランス補正値を決定する。また、ＡＦ制御を行って、主要被写体にピントを合わせる。この際、必要に応じてＡＦ補助光ランプ２０を発光し、被写体に向けてＡＦ補助光を照射する。
【００６７】
撮影者は、モニタ２８に表示されるスルー画像を確認し、撮影レンズ１４のピント状態等を確認する。そして、ピント、構図が決まったところでレリーズボタン２２を全押しし、画像記録を指示する。
【００６８】
レリーズボタン２２が全押しされると、ＣＰＵ１１０にＳ２ＯＮ信号が入力され、このＳ２ＯＮ信号に応動して、ＣＰＵ１１０は画像の記録処理を実行する。
【００６９】
まず、上記のＡＥ処理で求めた絞り値、シャッタ速度で撮像素子１２２を露光し、記録用の画像信号の取り込みを行う。この際、ＣＰＵ１１０は、必要に応じてストロボ１６を発光させる。
【００７０】
撮像素子１２２から出力された一コマ分の画像信号は、アナログ信号処理部１２４、Ａ／Ｄコンバータ１２６を介して画像信号処理部１２８に加えられ、輝度データと色差データとからなる画像データ（ＹＵＶデータ）が生成される。生成された画像データは、一旦ＲＡＭ１１４に格納されたのち、圧縮伸張処理部１３０に加えられ、所定の圧縮フォーマットで圧縮されて、ＲＡＭ１１４に格納される。ＣＰＵ１１０は、このＲＡＭ１１４に格納された圧縮画像データに対して撮影情報等を付加した所定フォーマットの静止画像ファイル（たとえば、Ｅｘｉｆ）を生成し、メディア制御部１３６を介してメモリカード１３８に記録する。
【００７１】
次に、再生時におけるデジタルカメラ１０の基本的な処理動作について説明する。
【００７２】
撮影済み画像の再生は、再生ボタン３２を押すことにより行われる。再生ボタン３２が押されると、ＣＰＵ１１０は、メディア制御部１３６を介してメモリカード１３８に最後に記録された画像ファイルの圧縮画像データを読み出す。読み出された圧縮画像データは、圧縮伸張処理部１３０に加えられ、非圧縮の画像データとされたのちエンコーダ１４０を介してモニタ２８に出力される。これにより、メモリカード１３８に記録されている画像がモニタ２８に再生表示される。
【００７３】
画像のコマ送りは、十字ボタン３６の左右のボタン操作で行なわれ、右ボタンが操作されると、次の画像がメモリカード１３８から読み出され、モニタ２８に再生表示される。また、十字ボタン３６の左ボタンが操作されると、一つ前の画像がメモリカード１３８から読み出され、モニタ２８に再生表示される。
【００７４】
さて、上記のように、本実施の形態のデジタルカメラ１０では、撮影モードの一つとして「自分撮りモード」を備えており、「自分撮りモード」に設定されると、自分撮りに適した撮影制御を実施する。すなわち、撮影者が設定したフレームに撮影者の顔が収まるようにガイド告知が行われる。
【００７５】
以下、この「自分撮りモード」に設定した場合のデジタルカメラ１０の動作について説明する。
【００７６】
図４は、自分撮りモード時におけるデジタルカメラ１０の動作手順を示すフローチャートである（第１の実施の形態）。
【００７７】
まず、ＣＰＵ１１０は、モードレバー２４からの入力に基づいて「自分撮りモード」に設定されたか否かを判定する（ステップＳ１０）。そして、「自分撮りモード」に設定されたと判定すると、撮影者の顔を収めるためのフレームの設定処理を行う（ステップＳ１１）。このフレームの設定処理は、モニタ２８を用いて行われる。すなわち、「自分撮りモード」に設定されると、図５に示すようにモニタ２８に矩形状のフレームＦが表示される。このフレームＦは、ズームボタン３０のボタン操作によって拡縮するとともに、十字ボタン３６のボタン操作によって上下左右に移動する。撮影者は、ズームボタン３０と十字ボタン３６のボタン操作によってフレームＦを任意の位置、任意の大きさで設定する。なお、初期状態として、フレームＦは図５に示すように、所定の大きさで画面中央に設定される。また、設定したフレームＦの確定は、ＭＥＮＵ／ＯＫボタン３８を押下することにより行われる。
【００７８】
フレームＦの設定が完了すると、ＣＰＵ１１０は、スルー画像の撮影を開始する（ステップＳ１２）。そして、その撮影により得られた画像から人物の顔画像を検出する（ステップＳ１３）。すなわち、撮影により得られた画像データを顔検出部１３２に加えて、画像データから顔領域を抽出し、その位置（重心座標）及び大きさ（範囲）を検出する。
【００７９】
そして、検出した顔領域と設定されたフレームとに基づいて検出率を算出する（ステップＳ１４）。この検出率は、検出した顔領域又は設定したフレームに対するオーバーラップ部分の割合として求められ、検出した顔領域が設定したフレームよりも大きい場合（検出した顔領域≧設定したフレーム）は、図６に示すように、設定したフレームの面積に対するオーバーラップ部分の面積の割合［（検出した顔領域と設定したフレームのオーバーラップ部分の面積）÷（設定したフレームの面積）％］として求められ、検出した顔領域が設定したフレームよりも小さい場合（検出した顔領域＜設定したフレーム）は、図７に示すように、検出した顔領域の面積に対するオーバーラップ部分の面積の割合［（検出した顔領域と設定したフレームのオーバーラップ部分の面積）÷（検出した顔領域の面積）％］として求められる。
【００８０】
このようにして検出率を求め、求めた検出率に基づいて、ＣＰＵ１１０は、人物の顔が設定したフレームに収まっているか否か判定する（ステップＳ１５）。すなわち、求めた検出率が１００％か否かを判定する。
【００８１】
ここで、求めた検出率が１００％となり、人物の顔が設定したフレームに収まっていると判定すると、ＣＰＵ１１０は、顔が設定したフレームに収まっていることを撮影者に告知するため、セルフタイマランプ１８を点灯させる（ステップＳ１６）。すなわち、セルフタイマランプ制御部１４８にコマンドを出力し、セルフタイマランプ１８を点灯させる（ステップＳ１６）。撮影者は、このセルフタイマランプ１８が点灯したことを確認することによって、設定したフレームに自分の顔が収まっていることを認識する。
【００８２】
一方、求めた検出率が１００％未満となり、人物の顔が設定したフレームに収まっていないと判定すると、ＣＰＵ１１０は、顔が設定したフレームに収まっていないことを撮影者に告知するため、セルフタイマランプ１８を点滅させる。この際、設定したフレームからのズレ量をセルフタイマランプ１８の点滅間隔によって撮影者が把握できるようにするため、まず、ＣＰＵ１１０は、セルフタイマランプ１８の点滅間隔を算出する（ステップＳ１７）。このセルフタイマランプ１８の点滅間隔は、検出率に基づいて算出し、たとえば、次式、点滅間隔＝１÷（検出率÷Ｋ）［秒］から算出する（Ｋは点滅間隔の調整定数）。
【００８３】
そして、算出した点滅間隔でセルフタイマランプ１８が点滅するように、セルフタイマランプ制御部１４８にコマンドを出力し、セルフタイマランプ１８を点滅させる（ステップＳ１８）。撮影者は、このセルフタイマランプ１８の点滅間隔を見て設定したフレームからのズレ量を把握する。
【００８４】
この後、ＣＰＵ１１０は、レリーズボタン２２の入力に基づいて撮影指示の有無を判定し（ステップＳ１９）、撮影指示ありと判定すると、本撮影を行う（ステップＳ２０）。すなわち、記録用の画像を撮影し、所要の信号処理を施してメモリカード１３８に記録する。
【００８５】
一方、撮影指示なしと判定すると、ステップＳ１２に戻り、上記処理を繰り返し実行する。
【００８６】
このように本実施の形態のデジタルカメラ１０では、自分撮りモードに設定すると、撮影者自身が撮像エリア内の任意の位置に任意の大きさで自分の顔を収めるフレームを設定することができ、そのフレームに顔が収まるようにガイドされる。これにより、任意の構図で自分自身を適切に撮影することができる。
【００８７】
なお、上記の実施の形態では、人物の顔を収めるフレームを矩形状とし、任意に拡縮できるように構成しているが、フレーム自体の形状も任意に変えられるようにしてもよい。たとえば、矩形状のフレームの縦、横の長さを撮影者自身が任意に設定できるようにしてもよい。また、矩形状のフレームに代えて円形、楕円形状等のフレームを設定するようにしてもよい。
【００８８】
また、上記の実施の形態では、人物の顔を収めるフレームを任意に拡縮できるように構成しているが、レンズの焦点距離等に基づいて拡縮できる範囲を規制するようにしてもよい。すなわち、図８に示すように、自分撮りは、自分の手でカメラを構える関係上、自分の手の長さ以上にカメラを離して撮ることができず、撮影可能な顔の大きさに限度が生じる。この撮影可能な顔の大きさは、撮影レンズ１４の焦点距離に応じて変化するので、焦点距離に基づいて顔が収まる範囲内にフレームの設定範囲を制限する。これにより、適切にフレームを設定することができる。なお、このようにフレームの設定可能な範囲を規制する場合には、撮影中のズーム操作を禁止することが好ましい。
【００８９】
また、上記の実施の形態では、撮影した画像から検出した顔領域が設定したフレームに収まるようにガイドしているが、図９に示すように、撮影した画像から顔の中心（又は重心）Ｐを検出し、検出した顔の中心（又は重心）が、設定した所定の大きさのフレームｆに収まるようにガイドするようにしてもよい。この場合、たとえば、検出した顔の中心（又は重心）Ｐとフレームｆとの距離（最短距離）を算出し、その距離に応じてセルフタイマランプ１８の点滅間隔を設定する。
【００９０】
また、上記の実施の形態では、セルフタイマランプ１８によって顔がフレームに収まっているか否かの判定結果を告知するようにしているが、判定結果を告知する手段（ガイドする手段）は、これに限定されるものではない。たとえば、スピーカ２１から所定のビープ音を発生させて、判定結果を告知するようにしてもよい。この場合、顔がフレームに収まっている場合は、所定の長さでビープ音を鳴らし、顔がフレームに収まっていない場合は、検出率に応じた間隔でビープ音を鳴らすようにする（検出率に応じてビープ音の間隔を設定して鳴らす。）。また、たとえば、判定結果をスピーカ２１から音声で告知するようにしてもよい。この場合、顔がフレームに収まっている場合は、「顔がフレームに収まっています」等の音声をスピーカ２１から出力し、顔がフレームに収まっていない場合は、「顔がフレームに収まっていません」等の音声をスピーカ２１から出力する。この場合、修正する方向を音声で告知するようにしてもよい。
【００９１】
また、上記の実施の形態では、設定可能なフレームを一つとしているが、図１０に示すように、複数人で自分撮りができるように、複数のフレームを設定できるようにしてもよい。この場合、フレームの数を設定した後、順に各フレームの位置、大きさを設定するものとし、各フレームは、オーバーラップできないようにすることが好ましい。また、各フレームを区別できるようにするため、各フレームを色分けするようにしてもよい。また、このように複数のフレームを設定した場合には、各フレームに顔が収まると、セルフタイマランプ１８を点灯させ、収まっていない場合は、たとえば、各フレームにおける検出率の平均値に基づいて点滅間隔を算出し、セルフタイマランプ１８を点滅させるようにする。
【００９２】
次に、自分撮りモードの第２の実施の形態について説明する。
【００９３】
上記第１の実施の形態では、セルフタイマランプ１８の点灯、点滅によってフレームに顔が収まっているか否かを撮影者に告知する構成とされているが、本実施の形態では、許可、不許可によってフレームに顔が収まっているか否かを撮影者に告知する。
【００９４】
図１１は、第２の実施の形態の自分撮りモード時におけるデジタルカメラ１０の動作手順を示すフローチャートである。
【００９５】
まず、ＣＰＵ１１０は、モードレバー２４からの入力に基づいて「自分撮りモード」に設定されたか否かを判定する（ステップＳ３０）。そして、「自分撮りモード」に設定されたと判定すると、撮影者の顔を収めるためのフレームの設定処理を行う（ステップＳ３１）。このフレームの設定処理は、上記第１の実施の形態と同じである。
【００９６】
フレームＦの設定が完了すると、ＣＰＵ１１０は、スルー画像の撮影を開始する（ステップＳ３２）。そして、その撮影により得られた画像から人物の顔画像を検出する（ステップＳ３３）。すなわち、撮影により得られた画像データを顔検出部１３２に加えて、画像データから顔領域を抽出し、その位置及び大きさを検出する。そして、検出した顔領域が、設定したフレーに収まっているか否かを判定する（ステップＳ３４）。
【００９７】
ここで、検出した人物の顔がフレームに収まっていると判定すると、ＣＰＵ１１０は、レリーズボタン２２からの入力を有効にする（ステップＳ３５）。そして、レリーズボタン２２の入力に基づいて撮影指示の有無を判定し（ステップＳ３６）、撮影指示ありと判定すると、本撮影を行う（ステップＳ４０）。また、撮影指示なしと判定すると、ステップＳ３２に戻り、上記処理を繰り返し実行する。
【００９８】
一方、検出した人物の顔がフレームに収まっていないと判定すると、ＣＰＵ１１０は、レリーズボタン２２からの入力を無効にする（ステップＳ３８）。すなわち、撮影を禁止する。
【００９９】
この後、ＣＰＵ１１０は、レリーズボタン２２の入力に基づいて撮影指示の有無を判定し（ステップＳ３９）、撮影指示なしと判定すると、ステップＳ３２に戻り、上記処理を繰り返し実行する。
【０１００】
一方、撮影指示ありと判定すると、ＣＰＵ１１０は、撮影禁止である旨を撮影者に告知するため、所定の警告を行う（ステップＳ４０）。この警告は、たとえば、所定の警告音（ビープ音）、警告音声をスピーカ２１から出力することにより行われる。また、セルフタイマランプ１８を点滅させることにより行われる。この後、ＣＰＵ１１０は、ステップＳ３２に戻り、上記処理を繰り返し実行する。
【０１０１】
このように本実施の形態の自分撮りモードによれば、フレームに顔が収まらない限り撮影が禁止されるので、所望の構図の画像を簡単かつ適切に撮影することができる。
【０１０２】
また、フレームは、撮影者自身が任意の位置に任意の大きさで設定することができるため、所望の構図の画像を簡単に撮影することができる。
【０１０３】
なお、フレーム自体の形状を任意に変えるようにしてもよい点、レンズの焦点距離等に基づいてフレームの拡縮できる範囲を規制するようにしてもよい点、顔の中心（又は重心）が、設定した所定の大きさのフレームｆに収まるようにしてもよい点、複数のフレームを設定できるようにしてもよい点等は、上記第１の実施の形態と同じである。
【０１０４】
また、本実施の形態の自分撮りモードの動作と上記第１の実施の形態の自分撮りモードの動作と組み合わせてもよい。すなわち、セルフタイマランプ１８の点灯、点滅によってフレームに顔が収まっているか否かを撮影者に告知するとともに、フレームに顔が収まっているときのみレリーズが有効になるように構成する。
【０１０５】
次に、自分撮りモードの第３の実施の形態について説明する。
【０１０６】
第３の実施の形態の自分撮りモードでは、撮影者自身が設定したフレームに顔が一定時間収まると、自動で撮影が実行される。
【０１０７】
図１２は、第３の実施の形態の自分撮りモード時におけるデジタルカメラ１０の動作手順を示すフローチャートである。
【０１０８】
まず、ＣＰＵ１１０は、モードレバー２４からの入力に基づいて「自分撮りモード」に設定されたか否かを判定する（ステップＳ５０）。そして、「自分撮りモード」に設定されたと判定すると、撮影者の顔を収めるためのフレームの設定処理を行う（ステップＳ５１）。このフレームの設定処理は、上記第１の実施の形態の自分撮りモード時と同じである。
【０１０９】
フレームＦの設定が完了すると、ＣＰＵ１１０は、開始指示の有無を判定する（ステップＳ５２）。ここで、開始指示は、レリーズボタン２２の全押しにより行うものとし、ＣＰＵ１１０は、レリーズボタン２２からの出力に基づいて開始指示の有無を判定する。そして、開始指示ありと判定すると、ＣＰＵ１１０は、スルー画像の撮影処理を開始する（ステップＳ５３）。そして、その撮影により得られた画像から人物の顔画像を検出する（ステップＳ５４）。すなわち、撮影により得られた画像データを顔検出部１３２に加えて、画像データから顔領域を抽出し、その位置（重心座標）及び大きさ（範囲）を検出する。そして、検出した顔領域と設定されたフレームとに基づいて検出率を算出し（ステップＳ５５）、求めた検出率に基づいて、人物の顔が設定したフレームに収まっているか否か判定する（ステップＳ５６）。
【０１１０】
ここで、人物の顔が設定したフレームに収まっていないと判定すると、ＣＰＵ１１０は、セルフタイマランプ１８を点滅させるための点滅間隔を算出し（ステップＳ６３）、算出した点滅間隔でセルフタイマランプ１８を点滅させる（ステップＳ６４）。
【０１１１】
この後、ＣＰＵ１１０は、監視タイマが作動しているか否かを判定し（ステップＳ６５）、作動していると判定すると、監視タイマを停止したのち（ステップＳ６６）、ステップＳ５３に戻り、上記処理を繰り返し実行する。
【０１１２】
ここで、この監視タイマは、顔検出部１３２で検出された顔が設定したフレームに収まっている時間を計測する計時手段（不図示）であって、ＣＰＵ１１０は、顔検出部１３２で検出された顔が設定したフレームに収まっていると判定すると、この監視タイマを作動させる。
【０１１３】
上記ステップ５６で、人物の顔が設定したフレームに収まっていると判定すると、ＣＰＵ１１０は、顔が設定したフレームに収まっていることを撮影者に告知するため、セルフタイマランプ１８を点灯させる（ステップＳ５７）。そして、監視タイマが作動しているか否かを判定し（ステップＳ５８）、作動していないと判定すると、監視タイマを作動させる（ステップＳ５９）。そして、その監視タイマの出力に基づいて作動開始から一定時間が経過した否か判定する（ステップＳ６０）。すなわち、顔がフレームに収まってから一定時間が経過したか否かを判定する。
【０１１４】
ここで、監視タイマの作動開始から一定時間が経過していないと判定すると、ＣＰＵ１１０は、ステップＳ５３に戻り、上記処理を繰り返し実行する。
【０１１５】
一方、監視タイマの作動開始から一定時間が経過していると判定すると、ＣＰＵ１１０は、監視タイマを停止し（ステップＳ６１）、本撮影を行う（ステップＳ６２）。すなわち、記録用の画像を撮影し、所要の信号処理を施してメモリカード１３８に記録する。
【０１１６】
このように、本実施の形態の自分撮りモードでは、フレームに顔が一定時間収まると、自動で撮影が行われるので、簡単に自分撮りを行うことができる。
【０１１７】
また、フレームは、撮影者自身が任意の位置に任意の大きさで設定することができるため、所望の構図の画像を簡単に撮影することができる。
【０１１８】
また、レリーズボタン２２を押下することなく自動で撮影が行われることから、レリーズボタン２２の押下によるブレを効果的に防止することができる。
【０１１９】
なお、フレーム自体の形状を任意に変えるようにしてもよい点、レンズの焦点距離等に基づいてフレームの拡縮できる範囲を規制するようにしてもよい点、顔の中心（又は重心）が、設定した所定の大きさのフレームｆに収まるようにしてもよい点、複数のフレームを設定できるようにしてもよい点等は、上記第１の実施の形態と同じである。
【０１２０】
また、本実施の形態では、セルフタイマランプ１８の点灯、点滅によってフレームに顔が収まっているか否かを撮影者に告知する構成としているが、告知しない構成としてもよい。
【０１２１】
次に、自分撮りモードの第４の実施の形態について説明する。
【０１２２】
第４の実施の形態の自分撮りモードでは、撮影者自身が設定したフレームに顔が収まると、ＡＦ補助光の発光量が抑制される。
【０１２３】
図１３は、第４の実施の形態の自分撮りモード時におけるデジタルカメラ１０の動作手順を示すフローチャートである。
【０１２４】
まず、ＣＰＵ１１０は、モードレバー２４からの入力に基づいて「自分撮りモード」に設定されたか否かを判定する（ステップＳ７０）。そして、「自分撮りモード」に設定されたと判定すると、撮影者の顔を収めるためのフレームの設定処理を行う（ステップＳ７１）。このフレームの設定処理は、上記第１の実施の形態の自分撮りモード時と同じである。
【０１２５】
フレームＦの設定が完了すると、ＣＰＵ１１０は、スルー画像の撮影処理を開始する（ステップＳ７２）。そして、その撮影により得られた画像から人物の顔画像を検出する（ステップＳ７３）。すなわち、撮影により得られた画像データを顔検出部１３２に加えて、画像データから顔領域を抽出し、その位置（重心座標）及び大きさ（範囲）を検出する。そして、検出した顔領域と設定されたフレームとに基づいて人物の顔が設定したフレームに収まっているか否か判定する（ステップＳ７４）。
【０１２６】
ここで、人物の顔が設定したフレームに収まっていないと判定すると、ＣＰＵ１１０は、ＡＦ補助光の発光量を第１の発光量に設定する（ステップＳ７８）。この第１の発光量は、通常のＡＦ補助光の発光量であって、他のモードで撮影する際に発光されるＡＦ補助光の発光量と同じ発光量に設定される。
【０１２７】
一方、人物の顔が設定したフレームに収まっていると判定すると、ＣＰＵ１１０は、ＡＦ補助光の発光量を第２の発光量に設定する（ステップＳ７６）。この第２の発光量は、第１の発光量よりも所定量低下させた発光量であって、たとえば、およそ５０ｃｍ（手を伸ばして撮影したときのカメラと顔との距離に相当）を照らすのに十分な発光量（詳細は採用するＬＥＤの光量やレンズによって変わる）に設定される。
【０１２８】
なお、この第１の発光量と第２の発光量の情報は、あらかじめフラッシュＲＯＭ１１６に格納されているものとし、ＣＰＵ１１０は、このフラッシュＲＯＭ１１６に格納されている情報を読み出して、ＡＦ補助光の発光量を設定するものとする。
【０１２９】
このように、人物の顔がフレームに収まっているときは、発光量を抑制した第２の発光量にＡＦ補助光の発光量を設定し、人物の顔がフレームに収まっていないときは、通常の発光量にＡＦ補助光の発光量を設定して、撮影が行われるまで上記処理を繰り返し実行する。すなわち、ＣＰＵ１１０は、レリーズボタン２２からの出力に基づいて撮影実行が指示されたか否かを判定し（ステップＳ７６）、撮影実行が指示されていないと判定すると、ステップＳ７２に戻り、上記処理を繰り返し実行する。一方、撮影実行が指示されたと判定すると、ＣＰＵ１１０は、本撮影を行い（ステップＳ７７）、処理を終了する。
【０１３０】
このように、本実施の形態の自分撮りモードでは、フレームに顔が収まると、ＡＦ補助光の発光量が抑制されるので、眩しさによる不快感を与えることがない。
【０１３１】
また、適切な発光量でＡＦ補助光が発光されるので、低輝度下でも適切にピント合せを行って自分撮りを行うことができる。
【０１３２】
なお、フレーム自体の形状を任意に変えるようにしてもよい点、レンズの焦点距離等に基づいてフレームの拡縮できる範囲を規制するようにしてもよい点、顔の中心（又は重心）が、設定した所定の大きさのフレームｆに収まるようにしてもよい点、複数のフレームを設定できるようにしてもよい点等は、上記第１の実施の形態と同じである。
【０１３３】
また、本実施の形態の自分撮りモードの機能を単独で作動させるのではなく、上記第１〜第３の実施の形態の自分撮りモードの機能と組み合わせて動作させてもよい。すなわち、設定したフレームに顔が収まるようにガイドする機能（第１の実施の形態の機能）と本実施の形態の機能とを組み合わせて動作させてもよいし、また、設定したフレームに顔が収まるとレリーズが許可される機能（第２の実施の形態の機能）と本実施の形態の機能とを組み合わせて動作させてもよい。また、設定したフレームに顔が収まると自動的に撮影する機能（第３の実施の形態の機能）と本実施の形態とを組み合わせ動作させてもよい。
【０１３４】
また、本実施の形態では、顔を収めるフレームを任意に設定可能としているが、一定の位置、大きさ、形状に固定してもよい。また、一定の位置、大きさ、形状に設定された複数のフレームの中から選択して用いるようにしてもよい。
【０１３５】
次に、自分撮りモードの第５の実施の形態について説明する。
【０１３６】
第５の実施の形態の自分撮りモードでは、撮影者自身が設定したフレームに顔が収まると、シャッタ速度が一定値以上になるように露出（シャッタ速度、絞り、感度）が修正される。
【０１３７】
図１４は、第５の実施の形態の自分撮りモード時におけるデジタルカメラ１０の動作手順を示すフローチャートである。
【０１３８】
まず、ＣＰＵ１１０は、モードレバー２４からの入力に基づいて「自分撮りモード」に設定されたか否かを判定する（ステップＳ８０）。そして、「自分撮りモード」に設定されたと判定すると、撮影者の顔を収めるためのフレームの設定処理を行う（ステップＳ８１）。このフレームの設定処理は、上記第１の実施の形態の自分撮りモード時と同じである。
【０１３９】
フレームＦの設定が完了すると、ＣＰＵ１１０は、スルー画像の撮影処理を開始する（ステップＳ８２）。そして、その撮影により得られた画像から人物の顔画像を検出する（ステップＳ８３）。すなわち、撮影により得られた画像データを顔検出部１３２に加えて、画像データから顔領域を抽出し、その位置（重心座標）及び大きさ（範囲）を検出する。そして、検出した顔領域と設定されたフレームとに基づいて人物の顔が設定したフレームに収まっているか否か判定する（ステップＳ８４）。
【０１４０】
ここで、人物の顔が設定したフレームに収まっていないと判定すると、ＣＰＵ１１０は、露出設定に用いるプログラム線図に第１のプログラム線図を設定する（ステップＳ８８）。この第１の発光量は、たとえば、オート撮影モード時に用いるプログラム線図であって、オート撮影モード時と同じ基準で露出が設定される。
【０１４１】
一方、人物の顔が設定したフレームに収まっていると判定すると、ＣＰＵ１１０は、露出設定に用いるプログラム線図に第２のプログラム線図を設定する（ステップＳ８６）。この第２のプログラム線図は、シャッタ速度が規定のシャッタ速度（手ブレを起こさないシャッタ速度、たとえば、１／２００秒）以上になるように組まれたもので、絞り値及び撮影感度が調整して、シャッタ速度が規定のシャッタ速度以上に保たれるように制御する。
【０１４２】
なお、この第１のプログラム線図と第２のプログラム線図の情報は、あらかじめフラッシュＲＯＭ１１６に格納されているものとし、ＣＰＵ１１０は、フラッシュＲＯＭ１１６から読み出して、露出設定に用いるプログラム線図を設定する。
【０１４３】
このように、人物の顔がフレームに収まっているときは、所定のシャッタ速度以上に保たれるようなプログラム線図（第２のプログラム線図）が用いられ、人物の顔がフレームに収まっていないときは、通常のプログラム線図（第１のプログラム線図）が用いられて露出設定が行われる。そして、本撮影の実行が指示されるまで、上記処理を繰り返し実行する。すなわち、ＣＰＵ１１０は、レリーズボタン２２からの出力に基づいて本撮影の実行が指示されたか否かを判定し（ステップＳ８６）、撮影実行が指示されていないと判定すると、ステップＳ８２に戻り、上記処理を繰り返し実行する。一方、本撮影の実行が指示されたと判定すると、ＣＰＵ１１０は、本撮影を行い（ステップＳ８７）、処理を終了する。
【０１４４】
このように、本実施の形態の自分撮りモードでは、フレームに顔が収まると、一定のシャッタ速度以上になるように露出が設定されるので、手ブレを抑えて撮影することができる。特に自分撮りの際には、片手での撮影になるケースが多いため、手ブレによる失敗が生じやすく、これを効果的に抑制することができる。
【０１４５】
なお、フレーム自体の形状を任意に変えるようにしてもよい点、レンズの焦点距離等に基づいてフレームの拡縮できる範囲を規制するようにしてもよい点、顔の中心（又は重心）が、設定した所定の大きさのフレームｆに収まるようにしてもよい点、複数のフレームを設定できるようにしてもよい点等は、上記第１の実施の形態と同じである。
【０１４６】
また、本実施の形態の自分撮りモードの機能を単独で作動させるのではなく、上記第１〜第３の実施の形態の自分撮りモードの機能と組み合わせて作動させてもよい。すなわち、設定したフレームに顔が収まるようにガイドする機能（第１の実施の形態の機能）と本実施の形態の機能とを組み合わせて動作させてもよいし、また、設定したフレームに顔が収まるとレリーズが許可される機能（第２の実施の形態の機能）と本実施の形態の機能を組み合わせて動作させてもよい。また、設定したフレームに顔が収まると自動的に撮影する機能（第３の実施の形態の機能）と本実施の形態とを組み合わせて動作させてもよい。
【０１４７】
また、本実施の形態では、顔を収めるフレームを任意に設定可能としているが、一定の位置、大きさ、形状に固定してもよい。また、一定の位置、大きさ、形状に設定された複数のフレームの中から選択して用いるようにしてもよい。
【０１４８】
また、本実施の形態では、シャッタ速度が規定のシャッタ速度以上に保たれるように、使用するプログラム線図を切り替えているが、シャッタ速度が所定のシャッタ速度以上に保たれるように、絞り値又は感度のいずれか一方又は双方を変化させて露出を修正するようにしてもよい。すなわち、絞りのみを変えて露出を修正してもよいし、感度のみを変えて露出を修正してもよい。さらに、絞りと感度の双方を変えて露出を修正してもよい。
【０１４９】
また、本実施の形態では、規定のシャッタ速度として、１／２００秒を例示しているが、手ブレの有無は撮影レンズ１４の焦点距離に依存するところが大きいので、撮影レンズの焦点距離に応じて規定のシャッタ速度を設定するようにしてもよい。たとえば、１／焦点距離（３５ｍｍ換算値）［秒］以上になるように露出を修正するようにしてもよい。
【０１５０】
また、上記一連の実施の形態では、モードレバー２４をＳＰ位置にセットすることにより、自分撮りモードに設定するようにしているが、自分撮りモードに設定する方法は、これに限定されるものではなく、たとえば、専用のボタンをカメラボディ１２に設けて、自分撮りモードと他のモードとを切り替えるようにしてもよいし、また、メニュー画面で自分撮りモードへの切り替えを指示するようにしてもよい。
【０１５１】
また、上記一連の実施の形態では、本発明をデジタルカメラに適用した場合を例に説明したが、本発明の適用は、これに限定されるものではなく、カメラ付き携帯電話機やカメラ付きＰＤＡ等の撮像機能を備えた全ての撮像装置に適用することができる。
【図面の簡単な説明】
【０１５２】
【図１】デジタルカメラの正面斜視図
【図２】デジタルカメラの背面斜視図
【図３】デジタルカメラの電気的構成を示すブロック図
【図４】自分撮りモード時におけるデジタルカメラ１０の動作手順を示すフローチャート
【図５】フレームの設定方法の説明図
【図６】検出率の説明図（検出した顔が設定したフレームよりも大きい場合）
【図７】検出率の説明図（検出した顔が設定したフレームよりも小さい場合）
【図８】自分撮り時の姿勢の説明図
【図９】検出した顔がフレームに収まっているか否かの他の判定方法の説明図
【図１０】複数のフレームを設定する場合の説明図
【図１１】第２の実施の形態の自分撮りモード時におけるデジタルカメラの動作手順を示すフローチャート
【図１２】第３の実施の形態の自分撮りモード時におけるデジタルカメラの動作手順を示すフローチャート
【図１３】第４の実施の形態の自分撮りモード時におけるデジタルカメラの動作手順を示すフローチャート
【図１４】第５の実施の形態の自分撮りモード時におけるデジタルカメラの動作手順を示すフローチャート
【符号の説明】
【０１５３】
１０…デジタルカメラ、１２…カメラボディ、１４…撮影レンズ、１６…ストロボ、１８…セルフタイマランプ、２０…ＡＦ補助光ランプ、２１…スピーカ、２２…レリーズボタン、２４…モードレバー、２６…電源ボタン、２８…モニタ、３０…ズームボタン、３２…再生ボタン、３４…ファンクションボタン、３６…十字ボタン、３８…ＭＥＮＵ／ＯＫボタン、４０…ＤＩＳＰ／ＢＡＣＫボタン、１１０…ＣＰＵ、１１２…操作部、１１４…ＲＡＭ、１１６…フラッシュＲＯＭ、１１８…撮影光学系、１２０…撮影光学系駆動部、１２２…撮像素子、１２４…アナログ信号処理部、１２６…Ａ／Ｄコンバータ、１２８…画像信号処理部、１３０…圧縮伸張処理部、１３２…顔検出部、１３４…音声処理部、１３６…メディア制御部、１３８…メモリカード、１４０…エンコーダ、１４２…ＡＦ検出部、１４４…ＡＥ／ＡＷＢ検出部、１４８…ストロボ制御部、１５０…セルフタイマランプ制御部、１５２…ＡＦ補助光ランプ制御部
【図１】
2007324877.tif 000003
【図２】
2007324877.tif 000004
【図３】
2007324877.tif 000005
【図４】
2007324877.tif 000006
【図５】
2007324877.tif 000007
【図６】
2007324877.tif 000008
【図７】
2007324877.tif 000009
【図８】
2007324877.tif 000010
【図９】
2007324877.tif 000011
【図１０】
2007324877.tif 000012
【図１１】
2007324877.tif 000013
【図１２】
2007324877.tif 000014
【図１３】
2007324877.tif 000015
【図１４】
2007324877.tif 000016